(57)【要約】【課題】医療用ガウンの着用作業を容易に行う。【解決手段】医療用ガウン１は、前面部２と、背面部３と、一対の袖部４とを備える。各袖部４は、先端伸縮部４１と、前腕被覆部４２と、指袋部４５とを備える。先端伸縮部４１は、伸縮性を有する筒状の部位であり、先端開口４４から肘部側に延びる。前腕被覆部４２は、先端伸縮部４１から肘部側に延びる筒状の部位である。指袋部４５は、前腕被覆部４２から側方に突出する。指袋部４５の内部空間は、前腕被覆部４２の内部空間と連通する。指袋部４５の内部空間には、着用者の指が挿入される。これにより、着用者の手を袖部４の内部に位置させた状態で、医療用ガウン１の着用作業を容易に行うことができる。【選択図】図１
2018040072.tif 000002
【特許請求の範囲】
【請求項１】
医療用ガウンであって、
着用者の前面を覆う前面部と、
前記着用者の背面を覆う背面部と、
前記前面部および前記背面部の左右方向の両側に繋がり、前記着用者の両腕が挿入される一対の袖部と、
を備え、
各袖部が、
先端開口から肘部側に延びる伸縮性を有する筒状の先端伸縮部と、
前記先端伸縮部から前記肘部側に延びる筒状の前腕被覆部と、
前記前腕被覆部から側方に突出するとともに、前記着用者の指が挿入される内部空間が前記前腕被覆部の内部空間と連通する指袋部と、
を備えることを特徴とする医療用ガウン。
【請求項２】
請求項１に記載の医療用ガウンであって、
前記指袋部が、前記着用者の親指挿入用であることを特徴とする医療用ガウン。
【請求項３】
請求項１または２に記載の医療用ガウンであって、
前記各袖部の前記前腕被覆部が、着用者の前腕部に接する不織布製の内面を備えることを特徴とする医療用ガウン。
【請求項４】
請求項１ないし３のいずれかに記載の医療用ガウンであって、
前記各袖部の前記指袋部よりも先端側に、前記各袖部の内面同士が仮止着される仮止着部が設けられることを特徴とする医療用ガウン。
【請求項５】
請求項１ないし４のいずれかに記載の医療用ガウンであって、
前記前腕被覆部が、
第１部位と、
前記第１部位と前記先端伸縮部との間に位置し、前記第１部位よりも袖幅が大きい第２部位と、
を含み、
前記指袋部が、前記第２部位から側方に突出することを特徴とする医療用ガウン。
【請求項６】
請求項１ないし５のいずれかに記載の医療用ガウンであって、
前記着用者の手が前記各袖部の前記先端開口から外側に出されて医療用手袋に挿入された状態で、前記指袋部が前記医療用手袋により被覆されることを特徴とする医療用ガウン。
【発明の詳細な説明】
【技術分野】
【０００１】
本発明は、医療用ガウンに関する。
【背景技術】
【０００２】
従来、外科手術等の際には、手術に携わる医師および看護師等の医療者は、滅菌された医療用ガウンを着用する（特許文献１参照）。医療者が医療用ガウンを着用することにより、易感染状態の患者を感染源から守り、また、患者の血液や体液等が医療者の肌に付着することを防止することができる。
【０００３】
このような医療用ガウンを着用する際には、後身頃の右側の部位と左側の部位とを着用者の背面側にて接続する。このとき、着用者の手や前腕部が背面側に回って不潔状態になることを防止するために、介助者により後身頃の左右両側の部位を閉じて互いに固定してもらう。そして、前身頃から延びる紐を着用者が介助者に手渡し、介助者が当該紐を着用者の背面側を通して再度着用者に渡し、着用者が当該紐と他の紐とを腰部近傍にて括ることにより、医療用ガウンを着用者の身体にフィットさせる。
【先行技術文献】
【特許文献】
【０００４】
【特許文献１】特開２０１４−１６３０２２号公報
【発明の概要】
【発明が解決しようとする課題】
【０００５】
ところで、このような医療用ガウンを着用する際には、着用者は、上述の紐等に手が直接的に触れることを防止するために、手を袖部の先端開口から出さず、袖部の内部から袖部の生地を介して紐等を把持して介助者に渡している。また、紐を括る際にも、袖部の内側から２本の紐を把持し、これらを括っている。しかしながら、袖部の内部では指を自由に動かすことができないため、医療用ガウンの着用に手間がかかる。
【０００６】
本発明は、上記課題に鑑みなされたものであり、医療用ガウンの着用作業を容易に行うことを目的としている。
【課題を解決するための手段】
【０００７】
請求項１に記載の発明は、医療用ガウンであって、着用者の前面を覆う前面部と、前記着用者の背面を覆う背面部と、前記前面部および前記背面部の左右方向の両側に繋がり、前記着用者の両腕が挿入される一対の袖部とを備え、各袖部が、先端開口から肘部側に延びる伸縮性を有する筒状の先端伸縮部と、前記先端伸縮部から前記肘部側に延びる筒状の前腕被覆部と、前記前腕被覆部から側方に突出するとともに、前記着用者の指が挿入される内部空間が前記前腕被覆部の内部空間と連通する指袋部とを備える。
【０００８】
請求項２に記載の発明は、請求項１に記載の医療用ガウンであって、前記指袋部が、前記着用者の親指挿入用である。
【０００９】
請求項３に記載の発明は、請求項１または２に記載の医療用ガウンであって、前記各袖部の前記前腕被覆部が、着用者の前腕部に接する不織布製の内面を備える。
【００１０】
請求項４に記載の発明は、請求項１ないし３のいずれかに記載の医療用ガウンであって、前記各袖部の前記指袋部よりも先端側に、前記各袖部の内面同士が仮止着される仮止着部が設けられる。
【００１１】
請求項５に記載の発明は、請求項１ないし４のいずれかに記載の医療用ガウンであって、前記前腕被覆部が、第１部位と、前記第１部位と前記先端伸縮部との間に位置し、前記第１部位よりも袖幅が大きい第２部位とを含み、前記指袋部が、前記第２部位から側方に突出する。
【００１２】
請求項６に記載の発明は、請求項１ないし５のいずれかに記載の医療用ガウンであって、前記着用者の手が前記各袖部の前記先端開口から外側に出されて医療用手袋に挿入された状態で、前記指袋部が前記医療用手袋により被覆される。
【発明の効果】
【００１３】
本発明では、医療用ガウンの着用作業を容易に行うことができる。
【図面の簡単な説明】
【００１４】
【図１】一の実施の形態に係る医療用ガウンを広げた状態で示す図である。
【図２】着用者が着用した状態の医療用ガウンの正面図である。
【図３】袖部の縦断面図である。
【図４】袖部の指袋部およびその近傍を示す斜視図である。
【図５】袖部の他の例を示す図である。
【図６】袖部の他の例を示す図である。
【発明を実施するための形態】
【００１５】
図１は、本発明の一の実施の形態に係る医療用ガウン１を示す図である。医療用ガウン１は、外科手術等の際に医師および看護師等が着用する使い捨てのガウンである。図１は、着用前の医療用ガウン１を広げた状態で示す正面図である。図１では、医療用ガウン１の着用者に接する内面とは反対側の外面を手前にして医療用ガウン１を描いている。図２は、着用者が着用した状態の医療用ガウン１の前面側を示す正面図である。
【００１６】
医療用ガウン１は、着用者の後側で左右の部位を閉じる後閉じタイプのガウンである。医療用ガウン１は、前面部２と、背面部３と、一対の袖部４とを備える。前面部２は、着用者の前面を覆う。背面部３は、着用者の背面を覆う。一対の袖部４は、前面部２および背面部３の左右方向の両側に繋がる筒状の部位である。一対の袖部４には、着用者の両腕が挿入される。各袖部４は、着用者の腕のうち肩部から手首に至る部位を覆う。
【００１７】
前面部２は、連続する１枚のシート状の部位である。前面部２は、着用者の喉元（すなわち、首と胸部との間の部位）、胸部、腹部、腰部前面および両脚の前面を覆う。図２に示す例では、前面部２は、着用者の喉元の略全体、胸部の略全体、腹部の略全体、腰部前面の略全体、および、両脚の前面のうち脚の付け根部から膝下に至る部位を覆う。
【００１８】
背面部３は、内背面部３１と、外背面部３２とを備える。内背面部３１は、前面部２の左右方向の一方側から着用者の背面に広がり、着用者の背面を覆う。外背面部３２は、前面部２の左右方向の他方側から着用者の背面に広がる。換言すれば、外背面部３２は、前面部２の左右両側の端部のうち、内背面部３１が繋がる側とは反対側に繋がる。外背面部３２は、内背面部３１の後側にて内背面部３１に重なるとともに着用者の背面を覆う。図１に示す例では、内背面部３１は、着用者の左側（図１中の右側）において前面部２に繋がり、外背面部３２は、着用者の右側において前面部２に繋がる。
【００１９】
背面部３は、着用者の背部、腰部背面（臀部を含む。）および両脚の背面を覆う。具体的には、背面部３は、着用者の背部の略全体、腰部背面の略全体、および、両脚の背面のうち脚の付け根部から膝下に至る部位を覆う。
【００２０】
各袖部４は、先端伸縮部４１と、前腕被覆部４２と、上腕被覆部４３とを備える。先端伸縮部４１、前腕被覆部４２および上腕被覆部４３は、袖部４の先端から肩部に向かって、この順で連続する。先端伸縮部４１は、袖部４の先端開口４４から肘部側に延びる筒状の部位である。先端伸縮部４１は、着用者の手首を被覆する。袖部４の長手方向における先端伸縮部４１の長さ（すなわち、先端開口４４から先端伸縮部４１と前腕被覆部４２との境界までの距離）は、例えば、３ｃｍ以上かつ７ｃｍ以下である。先端伸縮部４１は、少なくとも周方向において伸縮性を有しており、着用者の手首に密着する。先端伸縮部４１は、例えば、ポリプロピレン等により形成される。
【００２１】
前腕被覆部４２は、先端伸縮部４１の肘部側の端部から肘部側に延びる筒状の部位である。図１では、前腕被覆部４２と先端伸縮部４１との境界を実線にて示す。前腕被覆部４２は、着用者の手首から肘部に至る前腕部を被覆する。上腕被覆部４３は、前腕被覆部４２の肩部側の端部から肩部側に延びる筒状の部位である。上腕被覆部４３は、着用者の肘部から肩部に至る上腕部を被覆する。前腕被覆部４２の袖幅、および、上腕被覆部４３の袖幅は、先端伸縮部４１に近づくに従って漸次減少する。前腕被覆部４２の袖幅、および、上腕被覆部４３の袖幅は、長手方向の略全長に亘っておよそ一定であってもよい。
【００２２】
前腕被覆部４２および上腕被覆部４３は、例えば、単層構造または積層構造を有する不織布により形成される一繋がりの部材である。前腕被覆部４２では、例えば、当該不織布の外側（すなわち、着用者とは反対側）に樹脂フィルムが積層されてもよい。これにより、血液や体液等に対する前腕被覆部４２の防護性能が向上される。前腕被覆部４２は、好ましくは、着用者の前腕部に接する不織布製の内面を備える。これにより、前腕被覆部４２の肌触りを良くすることができ、医療用ガウン１の着用感を向上することができる。上腕被覆部４３においても、前腕被覆部４２と同様の構造とされてよい。
【００２３】
図１に示すように、各袖部４は、指袋部４５をさらに備える。指袋部４５は、前腕被覆部４２から側方に突出する袋状の部位である。換言すれば、指袋部４５は、先端が閉塞された筒状の部位であり、前腕被覆部４２から上記長手方向に対して傾斜する方向に突出する。指袋部４５は、先端部を除き、略円筒状である。指袋部４５の直径は、例えば、１ｃｍ以上かつ２．５ｃｍ以下である。指袋部４５は、例えば、天然ゴムまたは合成ゴム等の弾性を有する樹脂製である。指袋部４５は、例えば半透明である。指袋部４５は、指サックとも呼ばれる。指袋部４５の形状は、例えば、指袋部４５の内部空間に指が挿入されていない状態であってもある程度維持される。袖部４の長手方向において、先端伸縮部４１と前腕被覆部４２との境界から指袋部４５までの最短距離は、例えば、２．５ｃｍ以上かつ７．５ｃｍ以下である。
【００２４】
図３は、一方の袖部４の縦断面図である。図３では、指袋部４５の中心軸を含む断面を示す。また、図３では、当該断面よりも奥側の構造の一部を細線にて示す。医療用ガウン１では、他方の袖部４の構造も、図３に示す構造と同様である。図３に示す例では、指袋部４５は、袖部４の前腕被覆部４２に設けられた貫通孔を介して、袖部４の内側から外側へと突出する。各袖部４では、指袋部４５の内部空間は、前腕被覆部４２の内部空間と連通する。
【００２５】
図３に示す例では、指袋部４５の根元部（すなわち、前腕被覆部４２に近く、開口している端部）には、指袋部４５から周囲に広がる環状の固定部４６が連続している。固定部４６は、前腕被覆部４２の内部に位置し、当該貫通孔の周囲において前腕被覆部４２の内面に接合される。固定部４６と前腕被覆部４２との接合は、例えば、接着剤による接着、熱融着接合、または、超音波接合等により行われる。固定部４６は、上記貫通孔の周囲（すなわち、指袋部４５の周囲）の全周に亘って前腕被覆部４２の内面に接合される。固定部４６と前腕被覆部４２との接合部は、液体および気体が通過不能とされる。これにより、前腕被覆部４２の当該貫通孔が封止される。
【００２６】
図１において平行斜線を付して示すように、各袖部４の指袋部４５よりも先端側には、袖部４の内面同士が仮止着される仮止着部４７が設けられる。仮止着部４７は、指袋部４５と先端伸縮部４１との間に配置される。仮止着部４７は、袖部４の長手方向に略垂直な方向に延びる略帯状の部位である。図１に示す例では、仮止着部４７は、先端伸縮部４１と前腕被覆部４２との境界近傍にて当該境界に沿って延びる。仮止着部４７では、袖部４の内面同士が、例えば、ホットメルト接着剤等により仮止着される。この場合、ホットメルト接着剤は、例えば、袖部４の周方向に間欠的に設けられる。仮止着部４７における仮止着とは、袖部４の内面同士の止着を解除する際に、仮止着部４７およびその周囲の部位において医療用ガウン１を破損することなく容易に解除可能な状態で、袖部４の内面同士を止着することを意味する。
【００２７】
医療用ガウン１が着用される際には、まず、着用者の両腕が一対の袖部４に挿入される。着用者の手は、各袖部４の仮止着部４７よりも手前側（すなわち、肘部側）にて、前腕被覆部４２の内部に位置する。このとき、仮止着部４７における袖部４の内面同士の仮止着は維持されている。そして、着用者の指が、袖部４の指袋部４５に挿入される。図４に示す例では、指袋部４５には着用者の親指が挿入される。これにより、着用者の手の位置が、前腕被覆部４２の内部にておよそ固定され、手が先端開口４４へと近づくことが防止または抑制される。
【００２８】
続いて、図１に示す内背面部３１および外背面部３２を着用者の背面に重ねる。そして、予め内背面部３１および外背面部３２等に設けられている紐等により、内背面部３１と外背面部３２とが固定される。さらに、着用者の右側にて前面部２の腰部近傍に設けられている紐７１が、着用者により把持されて介助者に手渡される。そして、介助者が紐７１を着用者の背面側を通して再度着用者に手渡し、着用者が、紐７１と着用者の左側にて前面部２の腰部近傍に設けられている紐７２とを括ることにより、図２に示すように、医療用ガウン１を着用者の身体にフィットさせる。このとき、着用者の手は、上述のように袖部４の内部に位置しており（図４参照）、着用者は、袖部４の生地を介して紐７１，７２を把持する。このため、着用者の手が紐７１，７２または介助者等に直接的に接触することが防止される。
【００２９】
このように、医療用ガウン１の着用が終了すると、着用者の親指が図４に示す指袋部４５から抜かれる。換言すれば、着用者の親指は、指袋部４５の内部空間から前腕被覆部４２の内部空間へと移動する。続いて、着用者が腕を伸ばすことにより、着用者の指先が仮止着部４７に当接し、仮止着部４７を袖部４の先端側に向けて押圧する。これにより、仮止着部４７における袖部４の内面同士の仮止着が解除される。そして、着用者の両手が、一対の袖部４の先端伸縮部４１を通過し、先端開口４４から袖部４の外側へと出る。
【００３０】
その後、図２に示すように、着用者の両手が医療用手袋６に挿入される。これにより、医療用ガウン１の各袖部４の先端伸縮部４１（図１参照）および前腕被覆部４２の一部が、医療用手袋６により被覆される。このとき、各袖部４の指袋部４５（図１参照）も、医療用手袋６により被覆される。指袋部４５は、医療用手袋６と前腕被覆部４２との間にて、前腕被覆部４２の外面および医療用手袋６の内面に沿って位置する。
【００３１】
以上に説明したように、医療用ガウン１は、前面部２と、背面部３と、一対の袖部４とを備える。前面部２は、着用者の前面を覆う。背面部３は、着用者の背面を覆う。一対の袖部４は、前面部２および背面部３の左右方向の両側に繋がる。一対の袖部４には、着用者の両腕が挿入される。各袖部４は、先端伸縮部４１と、前腕被覆部４２と、指袋部４５とを備える。先端伸縮部４１は、伸縮性を有する筒状の部位であり、先端開口４４から肘部側に延びる。前腕被覆部４２は、先端伸縮部４１から肘部側に延びる筒状の部位である。指袋部４５は、前腕被覆部４２から側方に突出する。指袋部４５の内部空間は、前腕被覆部４２の内部空間と連通する。指袋部４５の内部空間には、着用者の指が挿入される。
【００３２】
医療用ガウン１の着用途上の着用者は、指袋部４５の内部空間に挿入した指を、前腕被覆部４２の生地により動きを制限されることなく、前腕被覆部４２の内部空間に位置する他の指から独立して比較的自由に動かすことができる。これにより、着用者の手を袖部４の内部に位置させた状態で、医療用ガウン１の着用作業（例えば、紐７１と紐７２とを結ぶ動作）を容易に行うことができる。
【００３３】
また、指袋部４５に指を挿入することにより、上述のように、着用者の手の位置が、前腕被覆部４２の内部にておよそ固定され、手が袖部４の先端開口４４へと近づくことが防止または抑制される。これにより、着用者の手が、意図に反して袖部４の先端開口４４から外側に出ることを防止または抑制することができる。さらに、手が先端開口４４から出ないように着用者が気遣いする必要がないため、医療用ガウン１の着用作業を、より一層容易に行うことができる。なお、医療用ガウン１の着用作業には、上述の紐７１と紐７２とを結ぶ動作以外の様々な作業（例えば、面ファスナを被止着部に止着する動作）が含まれてよい。
【００３４】
医療用ガウン１では、袖部４の長手方向において、先端伸縮部４１と前腕被覆部４２との境界から指袋部４５までの最短距離は２．５ｃｍ以上である。これにより、指袋部４５に指を挿入した状態で、前腕被覆部４２の内部空間に位置する他の指を比較的自由に動かすことができる。また、袖部４の長手方向において、先端伸縮部４１と前腕被覆部４２との境界から指袋部４５までの最短距離は７．５ｃｍ以下である。これにより、指袋部４５に指を挿入した状態で、袖部４の内部において着用者の肘を大きく曲げておく必要がなく、腕を比較的自由に動かすことができる。その結果、医療用ガウン１の着用作業をさらに容易に行うことができる。
【００３５】
上述のように、指袋部４５は、着用者の親指挿入用である。着用者が紐等を把持する際には、通常、親指と他の指との間に紐等を挟む。このため、親指を指袋部４５に挿入し、前腕被覆部４２の内部空間に位置する他の指から独立して比較的自由に動かすことにより、医療用ガウン１の着用作業をさらに容易に行うことができる。
【００３６】
医療用ガウン１では、各袖部４の指袋部４５よりも先端側に、各袖部４の内面同士が仮止着される仮止着部４７が設けられる。これにより、医療用ガウン１の着用途上において、着用者の手が意図に反して袖部４の先端開口４４から外側に出ることを防止または抑制することができる。具体的には、例えば、指袋部４５に着用者の指を挿入する際に、または、指袋部４５に指を挿入している状態で、着用者の手が意図に反して袖部４の先端開口４４から外側に出ることを防止または抑制することができる。
【００３７】
上述のように、着用者の手が各袖部４の先端開口４４から外側に出されて医療用手袋６に挿入された状態で、指袋部４５は医療用手袋６により被覆される。これにより、医療用ガウン１の着用完了後に、指袋部４５により着用者の作業等が阻害されることを防止することができる。なお、必ずしも指袋部４５全体が医療用手袋６により被覆される必要はなく、指袋部４５の少なくとも一部が医療用手袋６により被覆されていればよい。これにより、指袋部４５により着用者の作業等が阻害されることを防止または抑制することができる。
【００３８】
図５および図６は、図１と同様に、医療用ガウン１を広げた状態で示す図である。図５および図６では、袖部４の他の好ましい例を示す。図５および図６に示す例では、各袖部４の前腕被覆部４２が、第１部位４２１と、第１部位４２１と先端伸縮部４１との間に位置する第２部位４２２とを含む。第２部位４２２は、第１部位４２１よりも袖幅が大きい。指袋部４５は、第２部位４２２から側方に突出する。これにより、指袋部４５に指を挿入した状態で、前腕被覆部４２の内部空間に位置する他の指を比較的自由に動かすことができる。その結果、着用者の手を袖部４の内部に位置させた状態で、医療用ガウン１の着用作業をさらに容易に行うことができる。
【００３９】
図５および図６に示す例では、第１部位４２１は、前腕被覆部４２の長手方向中央部よりも肩部側の部位であり、第２部位４２２は、前腕被覆部４２の長手方向中央部よりも先端側（すなわち、先端伸縮部４１に近い側）の部位である。図５に示す例では、第２部位４２２において、袖部４の袖幅が先端伸縮部４１に近づくに従って漸次大きくなる。図６に示す例では、前腕被覆部４２の長手方向中央部において袖部４の袖幅が大きくなり、第２部位４２２における袖幅はおよそ一定である。いずれの場合も、前腕被覆部４２の袖幅が過剰に大きくなることを防止または抑制することができる。
【００４０】
上述の医療用ガウン１では、様々な変更が可能である。
【００４１】
例えば、袖部４および指袋部４５の材料は、様々に変更されてよい。また、指袋部４５と前腕被覆部４２との境界部において液体および気体が通過不能とされるのであれば、指袋部４５の前腕被覆部４２に対する固定は、様々な構造および方法により行われてよい。例えば、不織布製の指袋部４５が、不織布製の前腕被覆部４２に縫合等により固定されてもよい。
【００４２】
上述の例では、指袋部４５には、着用者の親指のみが挿入されるが、これには限定されない。指袋部４５には、例えば、親指以外の１本または複数本の指が挿入されてもよく、親指を含む複数本の指が挿入されてもよい。
【００４３】
袖部４では、必ずしも袖部４の内面同士は仮止着される必要はなく、仮止着部４７は省略されてもよい。
【００４４】
医療用ガウン１は、上述の構成以外に様々な構成を備えていてもよい。例えば、医療用ガウン１は、着用者の喉元に位置する前面部２の上端縁から上方に広がって着用者の顔の下半分を覆うマスク部を備えていてもよい。
【００４５】
上述の医療用ガウン１の指袋部４５は、着用者の前側で左右の部位を閉じる前閉じタイプの医療用ガウンに設けられてもよい。当該医療用ガウンは、例えば、連続する１枚のシート状の背面部と、当該背面部の左右両側から着用者の前面に広がる前面部（すなわち、着用者の前面にて互いに固定される内前面部および外前面部）と、前面部および背面部の左右方向の両側に繋がる一対の袖部とを備える。この場合であっても、各袖部の前腕被覆部に上記と同様の指袋部が設けられることにより、着用者の手を袖部の内部に位置させた状態で、医療用ガウンの着用作業を容易に行うことができる。
【００４６】
上記実施の形態および各変形例における構成は、相互に矛盾しない限り適宜組み合わされてよい。
【符号の説明】
【００４７】
１    医療用ガウン
２    前面部
３    背面部
４    袖部
６    医療用手袋
４１    先端伸縮部
４２    前腕被覆部
４４    先端開口
４５    指袋部
４７    仮止着部
４２１    第１部位
４２２    第２部位
【図１】
2018040072.tif 000003
【図２】
2018040072.tif 000004
【図３】
2018040072.tif 000005
【図４】
2018040072.tif 000006
【図５】
2018040072.tif 000007
【図６】
2018040072.tif 000008